(57)【特許請求の範囲】
【請求項１】
両側板部に逆Ｌ字状のガイド溝を形成したシャーシと、
前記ガイド溝に沿ってカセット挿入位置とそれより下方のカセット装着位置との間で昇降自在としたカセットホルダーと、
このカセットホルダーにおける両側板部の一方の側板部に設けられ、前記カセットホルダー内にテープカセットを第１の方向に挿入して保持させた際に前記テープカセットの側面に設けられた前蓋ロック解除ボタンを前記側面と直交する第２の方向に押圧してその前蓋のロックを解除する解除ボタン押圧手段と、を備えたカセットローディング装置のカセット前蓋ロック解除機構において、
前記カセットホルダーの前記一方の側板部に前記第２の方向の回動軸を有するロック解除レバーを設け、
該ロック解除レバーは、
前記テープカセットの前記挿入時に該テープカセットと当接する第１の部位を備え、前記当接により付与された前記第１の方向の押圧力を前記回動軸回りの回動力に変換する一方、
前記回動時に前記前蓋ロック解除ボタン押圧手段と当接する第２の部位を備え、前記回動時に、前記回動力を前記第２の方向の押圧力に変換し前記ロック解除ボタン押圧手段を前記第２の方向に移動させ前記前蓋ロック解除ボタンを押圧する構成のロック解除レバーであることを特徴とするカセットローディング装置のカセット前蓋ロック解除機構。
【請求項２】
前記ロック解除レバーに、前記カセットホルダーの水平移動時に前記シャーシにおける前記両側板部の一方の側板部に形成されたカムと摺動する第３の部位を設け、前記ロック解除レバーを、前記カムを介して、前記前蓋ロック解除ボタン押圧手段が前記前蓋ロック解除ボタンを押圧する方向に更に回動する構成にしたことを特徴とする請求項１記載のカセットローディング装置のカセット前蓋ロック解除機構。
【発明の詳細な説明】
【０００１】
【発明の属する技術分野】
本発明は、磁気記録再生装置としてのビデオテープレコーダ（ＶＴＲ）等に用いられるカセットローディング装置のカセット前蓋ロック解除機構に関する。
【０００２】
【従来の技術】
従来のカセットローディング装置のカセット前蓋ロック解除機構として、図１０及び図１１に開示されたものがある。このカセットローディング装置のカセット前蓋ロック解除機構１″は、図１０（ａ），（ｂ）及び図１１（ａ），（ｂ）に示すように、ＶＴＲ本体の両側板部１１″（図中右側の側板部のみを示す）に複数の逆Ｌ字状のガイド溝１２を形成した金属製のシャーシ１０と、該各ガイド溝１２に沿って合成樹脂製の両側板部２１（図中右側の側板部のみを示す）に一体突出形成された各ガイドピン２１ａを介してカセット挿入位置（カセットアンローディング位置）とそれより下方のカセット装着位置（カセットローディング完了位置）との間で昇降自在のカセットホルダー２０と、このカセットホルダー２０の右側（一方）の側板部２１の略中央に一体形成され、該カセットホルダー２０内にテープカセット２を保持して水平に移動させた時に該テープカセット２の前蓋ロック解除ボタン３を押圧して該テープカセット２の前蓋６のロックを解除する解除ピン部３１及びこの解除ピン部３１と連動する押圧ピン部３２を有した可撓性バネ片（解除ボタン押圧手段）３０とを備えている。
【０００３】
そして、テープカセット２のカセットローディング途中で該テープカセット２の前蓋６を開ける場合には、テープカセット２をカセットホルダー２０内で保持した図１０（ａ），（ｂ）に示すカセット挿入位置から該カセットホルダー２０を所定の駆動手段を介して図１１（ａ），（ｂ）に示すように水平移動させ、その移動中にシャーシ１０の右側の側板部１１″の内面中央上側に取り付けられたカム１３によって可撓性バネ片３０の押圧ピン部３２を押し、図１１（ａ）に示すように、該押圧ピン部３２と連動する解除ピン部３１でテープカセット２の前蓋ロック解除ボタン３を押して前蓋６のロックを解除するようにしている。
【０００４】
【発明が解決しようとする課題】
しかしながら、前記従来のカセットローディング装置のカセット前蓋ロック解除機構１″では、テープカセット２を保持するカセットホルダー２０の側板部２１とカム１３を取り付けたシャーシ１０の側板部１１″との間には、カセットホルダー２０の動作時のガタ（所定のクリアランス）が必要不可欠であり、これらシャーシ１０の側板部１１″とカセットホルダー２０の側板部２１との間の横方向のガタが可撓性バネ片３０の解除ピン部３１でテープカセット２の前蓋ロック解除ボタン３を押す際に悪影響を及ぼし、上記シャーシ１０の側板部１１″とカセットホルダー２０の側板部２１との間の隙間の寸法精度を高めないと、上記可撓性バネ片３０の解除ピン部３１でテープカセット２の前蓋ロック解除ボタン３を確実に押すことができなかった。
【０００５】
また、シャーシ１０の側板部１１″にカム１３を設けているので、該シャーシ１０の側板部１１″の高さを低くする際にテープカセット２の前蓋ロック解除ボタン３の高さまでが限界であり、カセットローディング装置の軽量化が図れなかった。また、シャーシ１０の側板部１１″が高いと、組立作業性が悪くなるなどの問題もある。
【０００６】
そこで、本発明は、前記した課題を解決すべくなされたものであり、簡単な構造によりテープカセットの前蓋のロック解除を確実に行うことができると共に、シャーシの側板部の高さを低くすることができて装置全体の軽量化及びシャーシへの組立作業性をより一段と図ることができるカセットローディング装置のカセット前蓋ロック解除機構を提供することを目的とする。
【０００７】
【課題を解決するための手段】
請求項１の発明は、両側板部に逆Ｌ字状のガイド溝を形成したシャーシと、前記ガイド溝に沿ってカセット挿入位置とそれより下方のカセット装着位置との間で昇降自在としたカセットホルダーと、このカセットホルダーにおける両側板部の一方の側板部に設けられ、前記カセットホルダー内にテープカセットを第１の方向に挿入して保持させた際に前記テープカセットの側面に設けられた前蓋ロック解除ボタンを前記側面と直交する第２の方向に押圧してその前蓋のロックを解除する解除ボタン押圧手段と、を備えたカセットローディング装置のカセット前蓋ロック解除機構において、前記カセットホルダーの前記一方の側板部に前記第２の方向の回動軸を有するロック解除レバーを設け、該ロック解除レバーは、前記テープカセットの前記挿入時に該テープカセットと当接する第１の部位を備え、前記当接により付与された前記第１の方向の押圧力を前記回動軸回りの回動力に変換する一方、前記回動時に前記前蓋ロック解除ボタン押圧手段と当接する第２の部位を備え、前記回動時に、前記回動力を前記第２の方向の押圧力に変換し前記ロック解除ボタン押圧手段を前記第２の方向に移動させ前記前蓋ロック解除ボタンを押圧する構成のロック解除レバーであることを特徴とする。
【０００８】
請求項２の発明は、請求項１記載のカセットローディング装置のカセット前蓋ロック解除機構において、前記ロック解除レバーに、前記カセットホルダーの水平移動時に前記シャーシにおける前記両側板部の一方の側板部に形成されたカムと摺動する第３の部位を設け、前記ロック解除レバーを、前記カムを介して、前記前蓋ロック解除ボタン押圧手段が前記前蓋ロック解除ボタンを押圧する方向に更に回動する構成にしたことを特徴とする。
【０００９】
【発明の実施の形態】
以下、本発明の実施形態を図面に基づいて説明する。
【００１０】
図１は本発明の実施形態のＶＴＲ等に用いられるカセットローディング装置のカセット前蓋ロック解除機構の要部を示す分解斜視図、図２（ａ），（ｂ）と図３（ａ），（ｂ）及び図４（ａ），（ｂ）は同カセット前蓋ロック解除機構をそれぞれ示す平面図及び側面図である。
【００１１】
本発明に係るカセットローディング装置のカセット前蓋ロック解除機構１は、ＶＴＲ本体の両側板部１１（図中右側の側板部のみを示す）に複数の逆Ｌ字状のガイド溝１２を形成した金属製のシャーシ１０と、該各ガイド溝１２に沿って合成樹脂製の両側板部２１（図中右側の側板部のみを示す）に一体突出形成された各ガイドピン２１ａを介してカセット挿入位置（カセットアンローディング位置）とそれより下方のカセット装着位置（カセットローディング完了位置）との間で昇降自在のカセットホルダー２０と、このカセットホルダー２０の右側（一方）の側板部２１の略中央に一体形成され、該カセットホルダー２０内にテープカセット２を挿入させて保持した時に該テープカセット２の前蓋ロック解除ボタン３を押圧して該テープカセット２の前蓋６のロックを解除する解除ピン部３１及びこの解除ピン部３１と連動する押圧ピン部３２を有した可撓性バネ片（解除ボタン押圧手段）３０と、上記カセットホルダー２０の右側の側板部２１の外面の可撓性バネ片３０に隣接した位置に一体突出形成された円筒状の支軸部２１ｂに回動自在に支持され、該可撓性バネ片３０の押圧ピン部３２を押圧することでこれと連動する解除ピン部３１をテープカセット２の前蓋ロック解除ボタン３の押圧方向に作動させる金属製のロック解除レバー４０と、を備えている。
【００１２】
図２（ａ），（ｂ）に示すように、金属製のシャーシ１０の両側には両側板部１１を上方に垂直に折り曲げ形成してある。この両側板部１１の相対向する位置に複数の逆Ｌ字状のガイド溝１２をそれぞれ形成してある。この各ガイド溝１２は、図２（ｂ）に示すように、水平部１２ａと垂直部１２ｂとで逆Ｌ字状になっている。
【００１３】
図１に示すように、カセットホルダー２０は、合成樹脂製の両側板部２１と、この両側板部２１の下端間に掛け渡された金属製で矩形板状の底板部２２と、上記両側板部２１の上端間に掛け渡された金属製で矩形板状の天井板部２３とで、テープカセット２を挿入保持する略四角筒状になっている。そして、両側板部２１の外面側にはシャーシ１０の各ガイド溝１２に挿入される円柱状の各ガイドピン２１ａを一体突出形成してある。また、両側板部２１の内面の底板部２２の前縁側には、挿入されたテープカセット２のカセット筐体２Ａの正面２ａの一部が当たってカセットホルダー２０内に該テープカセット２を保持するＬ字状のストッパ２１ｃを一体突出形成してある。
【００１４】
図１及び図２（ｂ）に示すように、可撓性バネ片３０は、右側の側板部２１の略中央に形成されたコ字状の切欠部２４内に横Ｈ字状になって一体形成されている。この可撓性バネ片３０は、スリット３３により仕切られた下側の解除ピン部３１と上側の押圧ピン部３２とを備えている。この下側の解除ピン部３１のテープカセット２の前蓋ロック解除ボタン３側は三角柱状に突出していて、該前蓋ロック解除ボタン３を押圧し易くなっている。また、上側の押圧ピン部３２のロック解除レバー４０側は円錐状に突出していて、該ロック解除レバー４０により押圧され易くなっている。
【００１５】
図１に示すように、金属板状のロック解除レバー４０は、その略中央にカセットホルダー２０の右側の側板部２１の支軸部２１ｂに回動自在に嵌め込まれる円筒部（回動部）４１を有していて、該側板部２１の一対の爪部２１ｄ，２１ｄにより抜け止めを図って支持されている。また、ロック解除レバー４０は、右側の側板部２１のＬ字状のストッパ２１ｃに対向する位置に、該側板部２１の矩形の開口孔２５より該ストッパ２１ｃ側に延びるカセット当接部４２を折り曲げ形成してあると共に、上記可撓性バネ片３０の押圧ピン部３２及び解除ピン部３１に対向する位置に、先端側が傾斜した作動部４３を一体突出形成してある。さらに、ロック解除レバー４０と右側の側板部２１との間には、該ロック解除レバー４０を図中時計方向に常に付勢する捩りコイルバネ５０を介在してある。これらにより、ロック解除レバー４０は、カセットホルダー２０内にテープカセット２を挿入保持させた時に該テープカセット２０の正面２ａの一部がカセット当接部４２を押圧することによりその前蓋ロック解除ボタン３を押圧する方向（即ち、図中反時計方向）に捩りコイルバネ５０の付勢力に抗して回転するようになっている。
【００１６】
尚、図９（ａ），（ｂ），（ｃ），（ｄ）に示すように、テープカセット２の前蓋ロック解除ボタン３は支軸４を介して前蓋６をロックするロックボタン５と一体になっていて、箱形のカセット筐体２Ａの一側面の前側に形成された矩形の孔部２ｂより外側に所定長突出している。そして、前蓋ロック解除ボタン３が可撓性バネ片３０の下側の解除ピン部３１によりカセット筐体２Ａ内に押されると、前蓋ロック解除ボタン３を外側に突出するように付勢する図示しないバネの付勢力に抗して支軸４が所定方向に回転されて、ロックボタン５が前蓋６のロックを解除するようになっている。このロックが解除された前蓋６は、カセットホルダー２０がシャーシ１０のガイド溝１２の垂直部１２ｂの下端（カセットローディング完了位置）に来ると、図９（ｃ），（ｄ）に示すリッドオープナー（前蓋開き部材）７により全開されるようになっている。
【００１７】
また、図１に示すように、前蓋６の正面の左下側には矩形の切欠部６ａを形成してあり、該切欠部６ａによりテープカセット２のカセット筐体２Ａの正面２ａの一部が露出している。そして、図１の１点鎖線で示すように、カセット筐体２Ａの前蓋６の切欠部６ａより露出した正面２ａの一部が、まず、ロック解除レバー４０のカセット当接部４２に当たった後、カセットホルダー２０のストッパ２１ｃに当たるようになっている。さらに、カセットホルダー２０の左側（他方）の図示しない側板部にもカセット当接部を有した上記ロック解除レバー４０と略同形の図示しない金属板状のレバーを回動自在に支持してある。
【００１８】
以上実施形態のカセット前蓋ロック解除機構１によれば、図２に示すように、カセットホルダー２０内にテープカセット２を挿入して保持させると、該テープカセット２の前蓋６の切欠部６ａより露出した正面２ａの一部が、カセットホルダー２０の右側の側板部２１に支軸部２１ｂを介して回動自在に支持されたロック解除レバー４０のカセット当接部４２に当たって該カセット当接部４２を押す。これにより、図３（ａ），（ｂ）及び図４（ａ），（ｂ）に示すように、ロック解除レバー４０が捩りコイルバネ５０の付勢力に抗して反時計方向に回転し、該ロック解除レバー４０の作動部４３によりカセットホルダー２０の右側の側板部２１に一体形成された可撓性バネ片３０の押圧ピン部３２を押し、該押圧ピン部３２と連動する解除ピン部３１によりテープカセット２の前蓋ロック解除ボタン３が押されて前蓋６のロックが解除される。
【００１９】
このように、カセットホルダー２０の右側の側板部２１に回動自在に支持されたロック解除レバー４０によりテープカセット２の前蓋ロック解除ボタン３を押すので、可撓性バネ片３０の解除ピン部３１でテープカセット２の前蓋ロック解除ボタン３を押す際に、シャーシ１０の側板部１１とカセットホルダー２０の側板部２１との間の横方向のガタの影響を受けることがなく、また、シャーシ１０の側板部１１とカセットホルダー２０の側板部２１との間の隙間の寸法精度を要求しないで、上記ロック解除レバー４０を介して可撓性バネ片３０の解除ピン部３１によりテープカセット２の前蓋ロック解除ボタン３を確実に押して前蓋６のロックを解除することができる。さらに、ロック解除レバー４０を介して側板部２１に一体形成された可撓性バネ片３０の解除ピン部３１を作動させるようにしたので、シャーシ１０の側板部１１の高さを従来のものよりも低くすることができ、カセットローディング装置の軽量化をより一段と図ることができる。また、シャーシ１０の側板部１１の高さが低いので、シャーシ１０への組立作業性の向上を図ることができる。
【００２０】
図５は本発明の他の実施形態のＶＴＲ等に用いられるカセットローディング装置のカセット前蓋ロック解除機構の要部を示す分解斜視図、図６（ａ），（ｂ）と図７（ａ），（ｂ）及び図８（ａ），（ｂ）は同カセット前蓋ロック解除機構をそれぞれ示す平面図及び側面図である。
【００２１】
このカセットローディング装置のカセット前蓋ロック解除機構１′では、前記実施形態のカセット前蓋ロック解除機構１のシャーシ１０の側板部１１と同じ高さの右側（一方）の側板部１１′の上縁部に前後側が傾斜するように内側に折り曲げられた板状のカム１５を一体形成してあり、このカム１５に対向するロック解除レバー４０′の前後部にカム案内部４４とカムフォロア４５を折り曲げ形成してある点が前記実施形態の構成と異なる。尚、他の構成は前記実施形態と同様であるので、同一構成部分は同一符号を付して詳細な説明を省略する。
【００２２】
このカセット前蓋ロック解除機構１′の場合、前記カセット前蓋ロック解除機構１の場合と同様に、カセットホルダー２０内にテープカセット２を挿入して保持させると、該テープカセット２の前蓋６の切欠部６ａより露出した正面２ａの一部が、カセットホルダー２０の右側の側板部２１に回動自在に支持されたロック解除レバー４０′のカセット当接部４２に当たって該カセット当接部４２を押す。これにより、図７（ａ），（ｂ）に示すように、ロック解除レバー４０′が捩りコイルバネ５０の付勢力に抗して反時計方向に回転し、該ロック解除レバー４０′の作動部４３によりカセットホルダー２０の右側の側板部２１に一体形成された可撓性バネ片３０の押圧ピン部３２を押し、該押圧ピン部３２と連動する解除ピン部３１によりテープカセット２の前蓋ロック解除ボタン３が前記実施形態のカセット前蓋ロック解除機構１の場合の約半分押される。
【００２３】
そして、上記カセット挿入位置からカセットホルダー２０を所定の駆動手段を介して図８（ａ），（ｂ）に示すように水平移動させ、その移動中にシャーシ１０の右側の側板部１１′の上端に一体形成されたカム１５の下面側に、ロック解除レバー４０′のカムフォロア４５が摺動することにより該ロック解除レバー４０′が捩りコイルバネ５０の付勢力に抗して反時計方向に更に回転し、該ロック解除レバー４０′の作動部４３によりカセットホルダー２０の右側の側板部２１に一体形成された可撓性バネ片３０の押圧ピン部３２を更に押し、該押圧ピン部３２と連動する解除ピン部３１によりテープカセット２の前蓋ロック解除ボタン３がカセット筐体２Ａ内に全部押されて前蓋６のロックが解除される。これにより、前記実施形態と同様の作用，効果を奏する。
【００２４】
尚、前記各実施形態によれば、カセットホルダーの一方の側板部に解除ボタン押圧手段としての可撓性バネ片を一体形成したが、金属製の可撓性バネ片をカセットホルダーの一方の側板部に取り付けても良い。
【００２５】
【発明の効果】
以上説明したように、請求項１の発明のカセットローディング装置のカセット前蓋ロック解除機構によれば、両側板部に逆Ｌ字状のガイド溝を形成したシャーシと、前記ガイド溝に沿ってカセット挿入位置とそれより下方のカセット装着位置との間で昇降自在としたカセットホルダーと、このカセットホルダーにおける両側板部の一方の側板部に設けられ、前記カセットホルダー内にテープカセットを第１の方向に挿入して保持させた際に前記テープカセットの側面に設けられた前蓋ロック解除ボタンを前記側面と直交する第２の方向に押圧してその前蓋のロックを解除する解除ボタン押圧手段と、を備えたカセットローディング装置のカセット前蓋ロック解除機構において、前記カセットホルダーの前記一方の側板部に前記第２の方向の回動軸を有するロック解除レバーを設け、該ロック解除レバーは、前記テープカセットの前記挿入時に該テープカセットと当接する第１の部位を備え、前記当接により付与された前記第１の方向の押圧力を前記回動軸回りの回動力に変換する一方、前記回動時に前記前蓋ロック解除ボタン押圧手段と当接する第２の部位を備え、前記回動時に、前記回動力を前記第２の方向の押圧力に変換し前記ロック解除ボタン押圧手段を前記第２の方向に移動させ前記前蓋ロック解除ボタンを押圧する構成のロック解除レバーとしたので、簡単な構造によりテープカセットの前蓋のロック解除を確実に行うことができると共に、シャーシの側板部の高さを低くすることができて装置全体の軽量化及びシャーシへの組立作業性をより一段と図ることができる。
【００２６】
請求項２の発明のカセットローディング装置のカセット前蓋ロック解除機構によれば、請求項１記載のカセットローディング装置のカセット前蓋ロック解除機構において、前記ロック解除レバーに、前記カセットホルダーの水平移動時に前記シャーシにおける前記両側板部の一方の側板部に形成されたカムと摺動する第３の部位を設け、前記ロック解除レバーを、前記カムを介して、前記前蓋ロック解除ボタン押圧手段が前記前蓋ロック解除ボタンを押圧する方向に更に回動する構成にしたので、簡単な構造によりテープカセットの前蓋のロック解除を確実に行うことができると共に、シャーシの側板部の高さを低くすることができて装置全体の軽量化及びシャーシへの組立作業性をより一段と図ることができる。
【図面の簡単な説明】
【図１】本発明の実施形態のカセットローディング装置のカセット前蓋ロック解除機構の要部の分解斜視図である。
【図２】（ａ）は上記カセット前蓋ロック解除機構のテープカセットの前蓋のロック解除前の状態を示す平面図、（ｂ）は同状態の側面図である。
【図３】（ａ）は上記カセット前蓋ロック解除機構のテープカセットの前蓋のロック解除時の状態を示す平面図、（ｂ）は同状態の側面図である。
【図４】（ａ）は上記カセット前蓋ロック解除機構のテープカセットの前蓋のロックを解除して更に前蓋を開いた状態を示す平面図、（ｂ）は同状態の側面図である。
【図５】本発明の他の実施形態のカセットローディング装置のカセット前蓋ロック解除機構の要部の分解斜視図である。
【図６】（ａ）は上記他の実施形態のカセット前蓋ロック解除機構のテープカセットの前蓋のロック解除前の状態を示す平面図、（ｂ）は同状態の側面図である。
【図７】（ａ）は上記他の実施形態のカセット前蓋ロック解除機構のテープカセットの前蓋のロック解除時の状態を示す平面図、（ｂ）は同状態の側面図である。
【図８】（ａ）は上記他の実施形態のカセット前蓋ロック解除機構のテープカセットの前蓋のロックを解除して更に前蓋を開いた状態を示す平面図、（ｂ）は同状態の側面図である。
【図９】（ａ）はテープカセットの前蓋のロック状態を示す部分側面図、（ｂ）は同ロック状態の部分説明図、（ｃ）は同テープカセットの前蓋のロックを解除した状態を示す部分側面図、（ｄ）は同ロックを解除した状態の部分説明図である。
【図１０】（ａ）は従来例のカセットローディング装置のカセット前蓋ロック解除機構のテープカセットの前蓋のロック解除前の状態を示す平面図、（ｂ）は同状態の側面図である。
【図１１】（ａ）は上記従来例のカセット前蓋ロック解除機構のテープカセットの前蓋のロック解除時の状態を示す平面図、（ｂ）は同状態の側面図である。
【符号の説明】
１，１′  カセット前蓋ロック解除機構
２  テープカセット
３  前蓋ロック解除ボタン
６  前蓋
１０  シャーシ
１１，１１′  側板部
１２  ガイド溝
１５  カム
２０  カセットホルダー
２１  側板部
３０  可撓性バネ片（解除ボタン押圧手段）
４０，４０′  ロック解除レバー
【図１】
0003567715.tif 000002
【図２】
0003567715.tif 000003
【図３】
0003567715.tif 000004
【図４】
0003567715.tif 000005
【図５】
0003567715.tif 000006
【図６】
0003567715.tif 000007
【図７】
0003567715.tif 000008
【図８】
0003567715.tif 000009
【図９】
0003567715.tif 000010
【図１０】
0003567715.tif 000011
【図１１】
0003567715.tif 000012